(57)【要約】【解決手段】ヘルメット着用者２１の頭部２２の前後長寸法および左右幅寸法をコンピュータに入力してデータ処理することによって、ヘルメット着用者２１に適合するヘルメットサイズの種類とその適用性データとを選定してコンピュータ画面などに表示する。【効果】ヘルメット着用者２１に適合する種類のサイズのヘルメットをその適合性データとともに容易に入手することができるので、人間の平均的な頭部形状以外のヘルメット着用者２１がヘルメットを着用する場合であっても上記適合性データに従って比較的簡単なサイズ調整作業を行うだけで、上記ヘルメットをその頭部２２にほぼ最適に適合させることができる。【選択図】  図９
2004301523.tif 000002
【特許請求の範囲】
【請求項１】
ヘルメットのサイズの適合する種類を選定する方法において、
上記種類の選定に必要なプログラムを利用することができるコンピュータにヘルメット着用者の頭部の前後長寸法および左右幅寸法をデータとしてそれぞれ入力する工程と、
上記プログラムを用いて上記前後長寸法および上記左右幅寸法をデータ処理することによって、上記ヘルメット着用者に適合するヘルメットサイズの種類とその適合性データとを選定する工程と、
上記適合するヘルメットサイズの種類とその適合性データとを表示する工程とを備えた選定方法。
【請求項２】
上記適合性データは、上記適合するヘルメットサイズの種類のヘルメットについてサイズ調整作業が必要であるか否かの情報を含む請求項１に記載の選定方法。
【請求項３】
上記ヘルメット着用者の頭部の周囲長寸法を上記コンピュータにデータとして入力する工程と、
上記プログラムを用いて上記周囲長寸法をデータ処理することによって、上記ヘルメット着用者に適合するヘルメットサイズの種類を選定する工程とをさらに備え、
上記前後長寸法および上記左右幅寸法に基づいて選定されたヘルメットサイズの種類が上記周囲長寸法に基づいて選定されたヘルメットサイズの種類よりも小さいときには、上記適合するヘルメットサイズの種類とその適合性データとが表示されないようにした請求項１または２に記載の選定方法。
【請求項４】
上記適合するヘルメットサイズの種類のフィット感を表示する工程をさらに備えた請求項１、２または３に記載の選定方法。
【請求項５】
上記プログラムに含まれている調整データ表における上記前後長寸法と上記左右幅寸法との交点が含まれるサイズ領域に対応したヘルメットサイズの種類と、上記調整データ表における上記交点の箇所に対応した適合性データとを選定するようにした請求項１〜４のうちのいずれか１つに記載の選定方法。
【請求項６】
請求項２に記載の選定方法を用いてヘルメットのサイズを調整する方法において、
上記適合性データに含まれているサイズ調整作業の必要性の指示に基づいて、上記適合するヘルメットサイズの種類のヘルメットのサイズを調整するサイズ調整作業を行うようにした調整方法。
【請求項７】
上記サイズ調整作業がヘルメットの前側、後側、左側および右側のうちの少なくとも１ヶ所に上記ヘルメットの頭部収容空間が小さくなるように取付けパッドを少なくとも１枚取付けることである請求項６に記載の調整方法。
【発明の詳細な説明】
【０００１】
【発明の属する技術分野】
本発明は、フルフェイス型ヘルメットなどのヘルメットのサイズの適合する種類を選定する方法と、この選定方法を用いて上記適合する種類のヘルメットサイズを調整する方法とに関するものである。
【０００２】
【従来の技術】
ヘルメットのサイズとしては、一般的に、Ｓサイズ（５５〜５６ｃｍ）、Ｍサイズ（５７〜５８ｃｍ）、Ｌサイズ（５９〜６０ｃｍ）およびＸＬサイズ（６１ｃｍ以上）の４種類が知られている。なお、上記数値は、ヘルメット着用者の頭部の周囲長寸法を示すものである。そして、これら４種類のサイズのヘルメットは、その頭部収容空間の頭部周囲長に対応する部分が互いにほぼ相似するほぼ楕円形になっている。
【０００３】
ヘルメットを販売しているヘルメット販売店では、ヘルメットを着用する予定のヘルメット着用予定者などのヘルメット購入予定者にヘルメットを販売する場合、ヘルメット購入予定者が申出るサイズのヘルメットをこのヘルメット購入予定者に販売するか、あるいは、ヘルメット着用予定者の頭部の周囲長寸法を巻尺などで実測し、この実測値に対応した巻尺上の適合サイズ表示から適合サイズの種類を選定し、この選定した種類のヘルメットを販売するようにしている。
【０００４】
また、楕円形状演算用のソフトウエア（すなわちコンピュータ・プログラム）を用いたパソコンをヘルメット販売店などで使用することも、従来から知られている。この場合、ヘルメット着用予定者の頭部の前後長寸法および左右幅寸法を頭部サイズ測定具、物差し、その他の測定具で実測し、上記パソコンを用いてこれらの実測値から頭部の周囲長寸法を算出し、この算出値と各種のサイズのヘルメットに付されるサイズ表示とから推奨すべきヘルメットサイズの種類を選定するようにしている。
【０００５】
【発明が解決しようとする課題】
しかし、上述のような従来の方法では、つぎに述べるような欠点がある。すなわち、上述のように巻尺で頭部の周囲長寸法を実測する場合でも、また、楕円形状演算用プログラムを用いて頭部の周囲長を算出する場合でも、ヘルメット着用予定者の頭部が人間の平均的な楕円形状とほぼ相似する特定の楕円形状であることを擬制している。したがって、この特定の楕円形状の長軸と短軸との比は、ヘルメットサイズの種類にかかわらずほぼ一定である。
【０００６】
一方、ヘルメット着用予定者の頭部の周囲の形状は、周囲長寸法が仮に同じであっても個人差があるので、必ずしも上記特定の楕円形状とほぼ一致するとは限らない。このために、ヘルメット着用予定者の頭部の周囲長寸法のみでヘルメットのサイズの種類を選定しても、この選定した種類のサイズのヘルメットがヘルメット着用予定者の頭部にフィット（すなわち、適合）しない場合がある。そして、このような場合には、ヘルメット着用予定者は、必要以上に大きなサイズのヘルメットを着用しなければならない。
【０００７】
本発明は、上述のような従来の方法の欠点を簡単な構成により効果的に是正し得るようにしたものである。
【０００８】
【課題を解決するための手段】
本発明は、その第１の観点によれば、ヘルメットのサイズの適合する種類を選定する方法において、上記種類の選定に必要なプログラムを利用することができるコンピュータにヘルメット着用者の頭部の前後長寸法および左右幅寸法をデータとしてそれぞれ入力する工程と、上記プログラムを用いて上記前後長寸法および上記左右幅寸法をデータ処理することによって、上記ヘルメット着用者に適合するヘルメットサイズの種類とその適合性データとを選定する工程と、上記適合するヘルメットサイズの種類とその適合性データとを表示する工程とを備えている。
【０００９】
本発明は、上記第１の観点において、上記適合性データが上記適合するヘルメットサイズの種類のヘルメットについてサイズ調整作業が必要であるか否かの情報を含んでいるのが好ましい。また、本発明は、上記第１の観点において、上記ヘルメット着用者の頭部の周囲長寸法を上記コンピュータにデータとして入力する工程と、上記プログラムを用いて上記周囲長寸法をデータ処理することによって、上記ヘルメット着用者に適合するヘルメットサイズの種類を選定する工程とをさらに備え、上記前後長寸法および上記左右幅寸法に基づいて選定されたヘルメットサイズの種類が上記周囲長寸法に基づいて選定されたヘルメットサイズの種類よりも小さいときには、上記適合するヘルメットサイズの種類とその適合性データとが表示されないようにするのが好ましい。また、本発明は、上記第１の観点において、上記適合するヘルメットサイズの種類のフィット感を表示する工程をさらに備えているのが好ましい。さらに、本発明は、上記第１の観点において、上記プログラムに含まれている調整データ表における上記前後長寸法と上記左右幅寸法との交点が含まれるサイズ領域に対応したヘルメットサイズの種類と、上記調整データ表における上記交点の箇所に対応した適合性データとを選定するのが好ましい。
【００１０】
本発明は、その第２の観点によれば、上記第１の観点による選定方法を用いてヘルメットのサイズを調整する方法において、上記適合性データに含まれているサイズ調整作業の必要性の指示に基づいて、上記適合するヘルメットサイズの種類のヘルメットのサイズを調整するサイズ調整作業を行うようにしている。また、本発明は、上記第２の観点において、上記サイズ調整作業がヘルメットの前側、後側、左側および右側のうちの少なくとも１ヶ所に上記ヘルメットの頭部収容空間が小さくなるように取付けパッドを少なくとも１枚取付けることであるのが好ましい。
【００１１】
【発明の実施の形態】
つぎに、本発明をフルフェイス型ヘルメットのサイズの適合する種類を選定しこの選定した種類のサイズのヘルメットについて必要に応じてサイズ調整する方法に適用した一実施例を「（１）頭部サイズ測定具の構成」、「（２）前後長、左右幅および周囲長の寸法測定」、「（３）前後長、左右幅および周囲長寸法に基づくヘルメットサイズ種類の選定およびその適合性表示」および「（４）ヘルメットサイズの調整作業」に項分けして図１〜図９を参照しつつ順次説明する。
【００１２】
（１）頭部サイズ測定具の構成
頭部サイズ測定具１は、図１に示すように、互いに摺動可能に構成された一対の測定具片２、３を備えていて、全体としてほぼ倒立Ｕ字状である。これらの測定具片２、３は、それぞれ、互いに一体に結合された上板部４および側板部５から成るほぼ倒立Ｌ字状であってよい。また、一対の測定具片２、３のうちの一方の測定具片２の側板部５の外側面には、側方にほぼコ字状などに突出した把手部６が設けられていてよい。
【００１３】
一対の測定具片２、３のうちの一方の測定具片２の上板部４の上面には、測定具片２、３の側板部５の面方向に対してほぼ直交する方向にほぼ沿って延びるガイド用凹部７が設けられている。そして、他方の測定具片３の上板部４は、このガイド用凹部７に摺動可能に嵌合している。したがって、一対の測定具片２、３のうちの一方の測定具片の上板部４は、他方の測定具片の上板部４に対してガイド用凹部７にほぼ沿って相対的に摺動し得るようになっている。
【００１４】
一対の測定具片２、３のうちの一方の測定具片３の上板部４には、ガイド用凹部７に対してほぼ平行に延びるスリット１１が設けられている。また、他方の測定具片２の上板部４には、その先端部側がスリット１１を通って上方に延びてスリット１１から上方に突出するように、ボルト（図示せず）が取付け固定されている。そして、このボルトの先端部は、操作摘み１２のナット（図示せず）にねじ込まれている。したがって、上記ボルトの先端部が操作摘み１２のナットにねじ込まれる第１の方向に操作摘み１２をねじ込み回動させることによって、一対の測定具片２、３を互いに摺動し得ない固定状態にすることができるとともに、上記第１の方向とは逆の第２の方向に操作摘み１２をねじ戻し回動させることによって、一対の測定具片２、３を互いに摺動し得る可動状態にすることができる。なお、上述の場合とは逆に、操作摘み１２に上記ボルトに相当するねじ軸を設けるとともに、このねじ軸がねじ込まれるナットを他方の測定具片２の上板部４に設けてもよい。
【００１５】
一対の測定具片２、３のうちの一方の測定具片２の上板部４の上面のガイド用凹部７の両側には、一対の測定具片２、３の側板部５の内側面間の距離を測定するための２種類の長さ目盛り１３、１４が設けられている。また、他方の測定具片３の上板部４の上面には、一対の測定具片２、３の相対的な位置関係に応じてこれら２種類の長さ目盛り１３、１４の所定の値をそれぞれ指示する指針１５、１６が設けられている。なお、２種類の長さ目盛り１３、１４のうちの一方は、ヤード・ポンド法における長さの単位（具体的には、インチ目盛り）１３であってよく、また、他方は、国際単位系（換言すれば、メートル法）における長さの単位（具体的には、センチメートルまたはミリメートル）１４であってよい。さらに、図１に示す頭部サイズ測定具１が用いられる国名に応じて、上記２種類の長さ目盛り１３、１４のうちのいずれか一方のみが頭部サイズ測定具１に設けられていてもよいし、ヤード・ポンド法およびメートル法以外の長さの単位の目盛りが頭部サイズ測定具１に設けられていてもよい。
【００１６】
（２）前後長、左右幅および周囲長の寸法測定
つぎに、図１に示す頭部サイズ測定具１を用いてヘルメット着用者２１の頭部２２の前後長寸法（Ｘ）および左右幅寸法（Ｙ）を実測する工程と、巻尺などのひも状体２３を用いて頭部２２の周囲長寸法（Ｌ）を実測する工程とを図１および図２を参照しつつ説明する。なお、本文において、「ヘルメット着用者」とは、ヘルメットを購入して使用することを希望している者などのように、少なくとも将来ヘルメットを着用する可能性のある者を含んでいる。
【００１７】
まず、図２（Ａ）に示す前後長寸法（Ｘ）の実測工程について説明すると、頭部サイズ測定具１の操作摘み１２を上述のように第２の方向にねじ戻し回動させてから、一対の測定具片２、３の一対の側板部５の間隔を頭部２２の前後長の寸法よりも多少大きくする。ついで、一対の側板部５の間隔が頭部２２の前頭部から後頭部までの長さの最も長い箇所に対応するように（すなわち、図２（Ａ）に示すように）、頭部サイズ測定具１を頭部２２にセットする。
【００１８】
この場合、測定者（この測定者は、ヘルメット着用者２１自身であってもよい。）は、一方の手で把手部６を握って一方の測定具片２を頭部２２に対して位置固定させるとともに、他方の手で他方の測定具片２の側板部５をその外側面から他方の測定具片３の側板部５側に向って押圧する。したがって、他方の測定具片２は一方の測定具片３に近づくように摺動するので、一方の測定具片２の上板部４および側板部５は頭部２２の頭頂部および後頭部に当接するとともに、他方の測定具片２の側板部５は頭部２２の前頭部に当接する。なお、頭部２２に対する一方の測定具片２と他方の測定具片３との位置関係を前後逆にしてもよい。
【００１９】
ついで、操作摘み１２を上述のように第１の方向にねじ込み回動させると、一対の測定具片２、３は互いに摺動し得ない固定状態になる。したがって、頭部サイズ測定具１を頭部２２に取付けたままで、または、頭部２２から取外した後に、指針１５または１６が指示している長さ目盛り１３または１４の数値を頭部２２の前後長寸法（Ｘ）の実測値として読み取ればよい。なお、以下においては、メートル法による長さ目盛り１４を読み取る場合について説明する。
【００２０】
つぎに、図２（Ｂ）に示す左右幅寸法（Ｙ）の実測工程について説明すると、この左右幅寸法（Ｙ）の実測工程は、実測対象が「頭部２２の前頭部から後頭部までの長さの最も長い箇所」から「頭部２２の左側頭部から右側頭部までの幅の最も広い箇所」に変更されることを除いて、図２（Ａ）に示す前後長寸法（Ｘ）の実測工程と実質的に同一であってよい。
【００２１】
つぎに、図２（Ｃ）に示す頭部２２の周囲長寸法（Ｌ）の実測工程について説明すると、頭部２２の前後長の最も長いかつ左右幅の最も広い箇所に巻尺などのひも状体２３を巻付ける。そして、巻尺２３の場合には、この巻尺２３の長さ目盛りを読みとり、また、長さ目盛りの付いていない単なるひも状体２３の場合には、このひも状体２３の頭部２２に一巻きされた長さを物差し（図示せず）などにより測れば、周囲長寸法（Ｌ）の実測値を得ることができる。
【００２２】
（３）前後長、左右幅および周囲長寸法に基づくヘルメットサイズ種類の選定およびその適合性表示
前記（２）項において実測された前後長寸法（Ｘ）、左右幅寸法（Ｙ）および周囲長寸法（Ｌ）は、それぞれが実測された時点ごとに順次パソコンなどのコンピュータ（図示せず）に入力されるか、あるいは、これら３つの寸法が総て実測され終わった後にパソコンに一括して入力されることができる（図８のステップ３１、３２参照）。上記パソコンは、図８に示す工程を順次実行するのに必要なプログラムが予めメモリされているものであるか、あるいは、インターネットなどのコンピュータネットワークを経由して上記プログラムを利用することができるものである。このようなパソコンは、ヘルメット販売店に備えられているものであってもよいし、また、ヘルメット装着者２１が所有しているものであってもよい。
【００２３】
上記プログラムの実行時におけるパソコン上の画面４１は、図９に示されている。そして、上記プログラムを実行するに当っては、まず、ステップ１として、図９（Ａ）の画面４１がパソコン操作者（例えば、ヘルメット販売店の従業員またはヘルメット着用者２１）に示される。したがって、このステップ１において、パソコン操作者は、このヘルメット装着者２１の頭部２２の前後長寸法（Ｘ）の実測値（例えば、１８１ｍｍ）をパソコンに入力する。また、パソコン操作者は、パソコン画面４１を図９（Ｂ）に示すステップ２に進めてから、ヘルメット着用者２１の頭部２２の左右幅寸法（Ｙ）の実測値（例えば、１５５ｍｍ）をパソコンに入力する。さらに、パソコン操作者は、パソコン画面４１を図９（Ｃ）に示すステップ３に進めてから、ヘルメット着用者２１の頭部２２の周囲長寸法（Ｌ）の実測値（例えば、５５０ｍｍ）をパソコンに入力する。
【００２４】
上述のようにヘルメット着用者２１の頭部２２の前後長、左右幅および周囲長の各寸法がパソコンに入力されると、パソコン操作者は、パソコン画面４１を図９（Ｄ）のステップ４に進める。そして、このステップ４（すなわち、判定ステップ）において、上記３種類の寸法に応じた判定結果がつぎに説明するデータ処理を経てパソコン画面４１に表示される。
【００２５】
すなわち、パソコンは、上記プログラムを用いて、前後長寸法（Ｘ）および左右幅寸法（Ｙ）に基づいてヘルメットのサイズの適合する種類を選定（本文においては、「第１選定」という。）する。この第１選定は、上記プログラムに含まれている第１選定のための調整データ表４３（図４〜図６参照）に従って行われる。
【００２６】
この調整データ表４３においては、図４から図６に示すように、縦列または横列の見出し（グラフにおけるＹ軸方向またはＸ軸方向の目盛りに相当する。）５３として、前後長寸法（Ｘ）が大きさの順（すなわち、小さい順または大きい順）に並べられ、また、横列または縦列の見出し５４として、左右幅寸法が大きさの順に並べられていてよい。なお、見出し５３、５４の数値の単位はｍｍである。そして、調整データ表４３においては、前後長寸法（Ｘ）の所定の値と左右幅寸法（Ｙ）の所定の値との交点の箇所には、図５および図６に示すように、ヘルメットの前後方向における適合性データよ左右方向における適合性データとが記載されている。
【００２７】
上記適合性データは、適合サイズとして後述のように第１選定されたサイズのヘルメットのサイズがヘルメット着用者の頭部に比較的良好に適合するか否か、比較的良好に適合するとすればどの程度比較的良好に適合するのか、また、比較的良好には適合しないとすれば、どのようなサイズ調整作業を行えば比較的良好に適合するようになるのかの情報を含んでいてよい。そして、どのようなサイズ調整作業を行えば比較的良好に適合するようになるのかの情報は、ヘルメットの前側、後側、左側および右側のうちの少なくとも１か所に、上記ヘルメットの頭部収容空間が小さくなるように、図７（Ａ）〜図７（Ｄ）に示すような所定の種類の取付けパッド４６〜４９を少なくとも１枚取り付けることであってよい。
【００２８】
調整データ表４３は、図４に示すように、ヘルメットサイズの種類の領域（すなわち、ＸＳ領域５５、Ｓ領域５６、Ｍ領域５７、Ｌ領域５８、ＸＬ領域５９およびＸＸＬ領域６０）を有している。そして、人間の平均的な頭部形状に比較的近い前後長寸法（Ｘ）および左右幅寸法（Ｙ）の組み合わせの場合には、これらのヘルメットサイズの種類の領域にほぼ含まれ、これらのヘルメットサイズの種類の領域に含まれない上記組み合わせの場合には、ヘルメットサイズの種類もその適合性データも記載されておらずに、「係員にお問い合わせください」との記載がなされている。
【００２９】
すなわち、パソコンは、上記プログラムを用いて、周囲長寸法（Ｌ）に基づいてヘルメットのサイズの適合する種類も選定（本文においては、「第２選定」という。）する。この第２選定は、上記プログラムに含まれている第２選定のための適合サイズ表４２（図３参照）に従って行われてよい。この図３（および上述の図４〜図６）において、適合サイズのＸＳ、Ｓ、Ｍ、Ｌ、ＸＬおよびＸＸＬは、エキストラ・スモール（Ｅｘｔｒａ  Ｓｍａｌｌ）、スモール（Ｓｍａｌｌ）、ミィディアム（Ｍｅｄｉｕｍ）、ラージ（Ｌａｒｇｅ）、エキストラ・ラージ（Ｅｘｔｒａ  Ｌａｒｇｅ）およびダブル・エキストラ・ラージ（Ｄｏｕｂｌｅ  Ｅｘｔｒａ  Ｌａｒｇｅ）を意味し、そのサイズが記載の順序でもって次第に大きくなるヘルメットのサイズの種類を表わしている。
【００３０】
適合サイズ表４２は、図３に示すように、「適合サイズ」の行または列５１と、「周囲長寸法（Ｌ）」の行または列５２とが上下または左右に互いに対向して配されているものであってよい。また、「適合サイズ」の行または列５１は、ヘルメットサイズの種類（すなわち、ＸＳ、Ｓ、Ｍ、Ｌ、ＸＬおよびＸＸＬなど）がサイズの小さい順または大きい順に順次ならべられたものであってよい。さらに、「周囲長寸法（Ｌ）」の行または列５２は、上記ヘルメットサイズの種類にそれぞれ対応する周囲長寸法（Ｌ）の範囲が上記ヘルメットサイズの種類に対向して順次記載されているものであってよい。
【００３１】
一方、ヘルメット・メーカまたはヘルメット販売店は、少なくとも上述の６種類のサイズのヘルメットを販売のために用意している。これら６種類のサイズのヘルメットは、それらの頭部収容空間が互いにほぼ相似形状であって、実質的にサイズのみが異なっているものであってもよいし、外側シェル、衝撃吸収ライナ（いずれも図示せず）などのサイズも必要に応じて異なっていてもよい。
【００３２】
したがって、上述のように周囲長寸法（Ｌ）の実測値として５５０ｍｍ（すなわち、５５ｃｍ）が入力されておれば、図３の適合サイズ表４２に従って、Ｓサイズが適合サイズとして第２選定されてメモリされる（図８のステップ３４参照）。
【００３３】
さらに、上述のように前後長寸法（Ｘ）および左右幅寸法（Ｙ）の実測値として１８１ｍｍおよび１５５ｍｍがそれぞれ入力されておれば、図４〜図６の調整データ表４３に従って、これらの入力値の交点が含まれるＳ領域に対応するＳサイズが適合サイズとして第１選定されてメモリされる（図８のステップ３３参照）。そして、この第１選定されたサイズの種類（すなわち、Ｓサイズ）が第２選定されたサイズの種類（すなわち、Ｓサイズ）と一致しているときには、この第１選定（換言すれば、第２選定）されたサイズが図９（Ｄ）のパソコン画面４１に「貴方に最適なヘルメットのサイズは、Ｓサイズです」として表示される。
【００３４】
第１選定されたサイズの種類が第２選定されたサイズの種類よりも大きいときには、後述のように図４〜図６の調整データ表４３に基づいて取付けパッド４６〜４７（図７（Ａ）〜図７（Ｄ）参照）を取付けるサイズ調整作業を行うことによって、この第１選定された種類のサイズのヘルメットについてサイズを小さくする調整を行うことができる。したがって、ヘルメットの最終的なサイズを図４〜図６の調整データ表４３に従ってヘルメット着用者２１にとってほぼ最適なサイズにすることが可能である。よって、この場合には、第１選定されたサイズの種類が、上記プログラムに従って、上述の場合と同様に図９（Ｄ）のパソコン画面４１に最適なヘルメットのサイズとして表示される。
【００３５】
これとは逆に、第１選定されたサイズの種類が第２選定されたサイズの種類よりも小さいときには、図４〜図６の調整データ表４３に基づいてヘルメットのサイズをほぼ最適なものに調整することができない。したがって、この場合には、上記プログラムに従って、適合サイズの種類を選定することができなかったと判断されるので、図９（Ｄ）のパソコン画面４１には、「係員にお問い合せ下さい」と表示される。さらに、前後長寸法（Ｘ）および左右幅寸法（Ｙ）の実測値がそれぞれ入力されたときに、これらの入力値の交点が図４〜図６の調整データ表４３における６種類のサイズ領域のいずれにも含まれていなければ、後述のように調整データ表４３に基づいて取付けパッド４６〜４９を取付けるサイズ調整作業を行うことによってヘルメットサイズをヘルメット着用者２１にとってほぼ最適なものにするのは難しい。したがって、この場合にも、上述の場合と同様に、上記プログラムに従って、適合サイズの種類を判定することができなかったと判断されるので、図９（Ｄ）のパソコン画面４１には、「係員にお問い合せ下さい」と表示される。
【００３６】
上述のように前後長寸法（Ｘ）および左右幅寸法（Ｙ）の実測値として１８１ｍｍおよび１５５ｍｍがそれぞれ入力されておれば、図４〜図６の調整データ表４３に従って、これらの入力値の交点が含まれるＳ領域に対応するＳサイズが適合サイズとして第１選定されるだけでなく、上記交点の箇所における適合性データも選定される（図８のステップ３３参照）。この適合性データは、ヘルメットの頭部収容空間の前後方向における適合性データと、左右方向における適合性データとを含んでいる。そして、これら２種類の適合性データは、図４〜図６においては、ジャスト・フィット（ほぼ最適に適合）、タイト・フィット（ややきつく適合）、ルーズ・フィット（ややゆるく適合）、作業Ａ〜Ｅおよび作業Ｊ〜Ｎとして記載されている。
【００３７】
図４〜図６においては、「ジャスト・フィット」、「タイト・フィット」および「ルーズ・フィット」は、図示を簡略化するために、場合によっては、「ジャスト」、「タイト」および「ルーズ」と略式で記載されている。また、作業Ａ〜Ｅは、上記前後方向における適合性データとして用いられている。さらに、作業Ｊ〜Ｎは、上記左右方向における適合性データとして用いられている。そして、作業Ａ〜Ｅのそれぞれは、具体的には、ヘルメットの頭部収容空間の前側および後側のそれぞれに所定の取付けパッド４６〜４９（図７（Ａ）および図（Ｂ）参照）を所定の枚数だけ取付けることを指示するものである。また、作業Ｊ〜Ｎのそれぞれは、具体的には、ヘルメットの頭部収容空間の左側および右側のそれぞれに所定の取付けパッド４６〜４９（図７（Ｃ）および図７（Ｄ）参照）を所定の枚数だけ取付けることを指示するものである。なお、図７（Ａ）〜図７（Ｄ）に示す上記所定の取付けパッド４６〜４９のそれぞれは、硬さおよび／またはサイズ（厚み、長さ、幅など）が異なる数種類のものであってもよいし、硬さおよびサイズが一定である１種類のものであってもよい。
【００３８】
上述のように前後長寸法（Ｘ）および左右幅寸法（Ｙ）の実測値として１８１ｍｍおよび１５５ｍｍがそれぞれ入力されておれば、図４〜図６の調整データ表４３に従って選定される適合性データは、図６から「前後；作業Ｂ」および「左右；作業Ｍ」であることが判る。この場合、「前後；作業Ｂ」は、具体的には「前後に硬さａのパッド各１」という記載であって、前側および後側のそれぞれに硬さａの取付けパッド４６、４７（図７（Ａ）および図７（Ｂ）参照）を１枚ずつ取付けることを意味していてよい。また、「左右；作業Ｍ」は、具体的には「左右に硬さｂのパッド各１」という記載であって、左側および右側のそれぞれに硬さｂの取付けパッド４８、４９（図７（Ｃ）および図７（Ｄ）参照）を１枚ずつ取付けることを意味していてよい。
【００３９】
したがって、上述のように前後長寸法（Ｘ）および左右幅寸法（Ｙ）の実測値として１８１ｍｍおよび１５５ｍｍがそれぞれ入力されているときには、図９（Ｄ）のステップ４のパソコン画面４１には、上述のように最適なサイズがＳサイズであることが表示されるだけでなく、左右方向および前後方向のそれぞれにおける適合性（すなわち、フィット感）が例えば５段階のうちの第２段階（すなわち、ややゆるい）であることがほぼ半円形の表示体４５で表示される（図８のステップ３５参照）。なお、図９においては、左右方向における適合性の表示体４５と前後方向における適合性の表示体４５とがいずれも第２段階に付けられている。したがって、この第２段階には、全体としてほぼ円形の表示体が付けられている。そして、このほぼ円形の表示体には、その中心を通る水平線が加えられている。
【００４０】
つぎに、パソコン操作者がパソコン画面４１を図９（Ｅ）に示すステップ５（すなわち、詳細ステップ）に進めると、このステップ５においては、上述のように図４〜図６の調整データ表４３に従って選定された適合性データ（すなわち、「前後；作業Ｂ」および「左右；作業Ｍ」）が表示される（図８のステップ３６参照）。なお、このステップ３６は、任意の時点で終了させることができる（図８のステップ３７参照）。
【００４１】
（４）ヘルメットサイズの調整作業
ヘルメット販売店の従業員、ヘルメット着用者などのサイズ調整作業者は、前記（３）項において説明したように図９（Ｅ）に示すステップ５において表示された適合性データに従って、適合サイズとして選定されたヘルメットのサイズをつぎのようにしてサイズ調整することができる。このサイズ調整作業には、図７（Ａ）〜図７（Ｄ）に示す前側用の取付けパッド４６、後側用の取付けパッド４７、左側用の取付けパッド４８および右側用の取付けパッド４９が用いられる。なお、これら４種類の取り付けパッド４６〜４９のうちのいくつかまたは全部は、互いにほぼ同一形状であってよい。
【００４２】
これらの取付けパッド４６〜４９は、発泡ウレタン樹脂（いわゆる、ウレタンスポンジ）などの発泡合成樹脂のシート片であってよい。また、これらの取付けパッドのうちで、例えば前側用の取付けパッド４６は、図示の実施例においては、長さＬ０、幅Ｗ０および厚みＴ０がそれぞれ約１５ｃｍ、約１０ｃｍおよび約３ｍｍである。しかし、これらの取付けパッド４６〜４９のそれぞれの長さＬ０は、実用性の観点から見て一般的に、７．５〜２５ｃｍの範囲であるのが好ましく、１０〜２０ｃｍの範囲であるのがさらに好ましい。また、これらの取付けパッド４６〜４９の幅Ｗ０は、実用性の観点から見て一般的に、５〜１８ｃｍの範囲であるのが好ましく、７．５〜１４ｃｍの範囲であるのがさらに好ましい。さらに、これらの取付けパッド４６〜４９の厚みＴ０は、実用性の観点から見て一般的に、１〜６ｍｍの範囲であるのが好ましく、２〜４．５ｍｍの範囲であるのがさらに好ましい。なお、これらの取付けパッド４６〜４９には、必要に応じて、通気孔などのための開口６１、切り欠き６２などが設けられていてよい。
【００４３】
ヘルメットサイズの調整作業は、図９（Ｅ）に示すステップ５のパソコン画面４１に表示されている適合性データに従って、必要に応じて行われる。例えば、図６において前後長寸法（Ｘ）が１８６ｍｍで左右幅寸法が１５７ｍｍであれば、上記適合性データが「前後；ジャストフィット」および「左右；ルーズフィット」であるから、ヘルメットサイズの調整作業は不要である。また、上記適合性データが図９（Ｅ）に示されているように「前後に硬さａのパッド各１」および「左右に硬さｂのパッド各１」であれば、ヘルメットの前側および後側に硬さａの前側用の取付けパッド４６および後側用の取付けパッド４７を１枚ずつ取付けるとともに、左側および右側に硬さｂの左側用の取付けパッド４８および右側用の取付けパッド４９を１枚ずつ取付ければよい。
【００４４】
上述の取付けに際しては、図７（Ａ）および図７（Ｂ）に示す取付けパッド４６、４７の場合には、図７（Ａ）および図７（Ｂ）の場合とほぼ同様の上下関係で取付けられてよい。また、図７（Ｃ）に示す取付けパッド４８の場合には、左側がほぼ下端になるように取付けられ、さらに、図７（Ｄ）に示す取付けパッド４９の場合には、右側がほぼ下端になるように取付けられてよい。
【００４５】
このようなヘルメットへの取付けパッド４６〜４９の取付けは、つぎのようにして行うことができる。すなわち、この取付けの１つの方法は、衝撃吸収ライナの内周面側（すなわち、頭部収容空間側）に配される内装パッド（図示せず）の外周面（すなわち、頭部収容空間とは反対側の面）の前側、後側、左側および右側にパッド収納用ポケット（図示せず）を予め設けておき、取付けパッド４６〜４９をヘルメットに取付ける必要があるときには、これらのポケットに必要に応じて取付けパッド４６〜４９を収納する方法である。また、上記取付けの第２の方法は、衝撃吸収ライナの内周面または内装パッドの外周面に取付けパッド４６〜４９を接着剤により接着する方法である。さらに、上記取付けの第３の方法は、内装パッドの外周面および取付けパッド４６〜４９の内周面に面ファスナ（商標−マジックテープ）を予め取付けておき、取付けパッド４６〜４９をヘルメットに取付ける必要があるときには、取付けパッド４６〜４９の面ファスナを内装パッドの面ファスナに結合させる方法である。なお、衝撃吸収ライナと内装パッドとの間に取付けパッド４６〜４９を挟み込むことによっても、ヘルメットへの取付けパッド４６〜４９の取付けは可能である。
【００４６】
上述のようにヘルメットサイズの調整作業を行えば、人間の平均的な頭部形状以外のヘルメット着用者であっても、その頭部にほぼ最適に適合するヘルメットを比較的簡単に入手することができる。
【００４７】
以上において、本発明の一実施例について詳細に説明したが、本発明は、この実施例に限定されるものではなく、特許請求の範囲に記載された発明の趣旨に基づいて各種の変更および修正が可能である。
【００４８】
例えば、上述の実施例においては、最適なヘルメットサイズおよびそのフィット感の表示（判定ステップ）とその適合性データの表示（詳細ステップ）とを別々のパソコン画面４１上に表示するようにした。しかし、判定ステップでの表示と詳細ステップでの表示とを合体させて両者を単一のパソコン画面４１上に表示してもよく、この場合には、フィット感の表示を省略するか、あるいは、別のパソコン画面４１上に表示するようにしてもよい。なお、最適なヘルメットサイズ、そのフィット感およびその適合性データの表示は、パソコン画面４１上での表示ではなくて紙などに印刷することであってもよく、また、両方の表示であってもよい。
【００４９】
また、上述の実施例においては、第１選定されたサイズの種類が第２選定されたサイズの種類よりも小さいときには、最適なヘルメットサイズ、そのフィット感およびその適合性データがいずれも選定されず、また、その表示も行われないようにした。しかし、このような場合でも、図４〜図６の調整データ表とは別の調整データ表を上記プログラムに含めておけば、第２選定されたサイズを最適なヘルメットサイズとして表示するとともに、上記別の調整データ表に基づくそのフィット感およびその適合性データを表示するように構成することも可能である。
【００５０】
また、上述の実施例においては、ヘルメット販売所の従業員、ヘルメット着用者などがヘルメットサイズを調整するようにした。しかし、ヘルメット着用者がその頭部の前後長、左右幅および周囲長の寸法についての第１の情報、あるいは、図９（Ｄ）の判定ステップおよび図９（Ｅ）の詳細ステップに示す最適サイズ、そのフィット感およびその適合性データについての第２の情報を添えてコンピュータネットワークを経由してヘルメットメーカなどにヘルメットを直接に注文することもできる。そして、この場合には、ヘルメットメーカなどは、上記最適サイズのヘルメットについて必要に応じて取付けパッド４４の取付け作業（すなわち、サイズ調整作業）を行ってから、ヘルメット着用者に必要に応じてサイズ調整されたヘルメットを送り届ければよい。また、上述のような第１および／または第２の情報は、ヘルメットメーカやヘルメット販売所において、顧客データとしてデータベースに保存することができる。
【００５１】
さらに、上述の実施例においては、本発明をフルフェイス型ヘルメットについて適用したが、本発明をジェット型、セミジェット型などの別の種類のヘルメットにも適用することができる。
【００５２】
【発明の効果】
本発明によれば、ヘルメット着用者に適合する種類のサイズのヘルメットをその適合性データとともに容易に入手することができる。したがって、人間の平均的な頭部形状以外のヘルメット着用者がヘルメットを着用する場合であっても、上記適合性データに従って比較的簡単なサイズ調整作業を行うだけで、上記ヘルメットをその頭部にほぼ最適に適合させることができる。
【図面の簡単な説明】
【図１】本発明をフルフェイス型ヘルメットのサイズの適合する種類を選定しこの選定した種類のヘルメットのサイズを必要に応じて調整する方法に適用した一実施例において用いられる頭部サイズ測定具の斜視図である。
【図２】（Ａ）は、図１の頭部サイズ測定具を用いてヘルメット着用者の頭部の前後長寸法（Ｘ）を実測する工程を示す概略的な側面図であり、（Ｂ）は、同上の左右幅寸法（Ｙ）を実測する工程を示す概略的な正面図であり、（Ｃ）は、巻尺を用いてヘルメット着用者の頭部の周囲長寸法（Ｌ）を実測する工程を示す概略的な斜視図である。
【図３】図２（Ｃ）の工程で実測した周囲長寸法（Ｌ）に基づいてヘルメットのサイズの適合する種類を選定する工程を説明する適合サイズ表である。
【図４】図２（Ａ）および図２（Ｂ）の工程でそれぞれ実測した前後長寸法（Ｘ）および左右幅寸法（Ｙ）に基づいてヘルメットサイズの適合する種類を選定しこの選定した種類のヘルメットについて前後長および／または左右幅のサイズ調整作業が必要であるか否かを指示する工程を説明する概略的な調整データ表である。
【図５】図４の調整データ表のＸＳ領域の詳細である。
【図６】図４の調整データ表のＳ領域の詳細である。
【図７】図１〜図６に示す実施例においてヘルメットのサイズを調整するのに用いられる取付けパッドを示す平面であって、（Ａ）は、前側用の取付けパッドの平面図を示し、（Ｂ）は、後ろ側用の取付けパッドの平面図を示し、（Ｃ）は、左側用の取付けパッドの平面図を示し、（Ｄ）は、右側用の取付けパッドの平面図を示す。のの斜視図である。
【図８】図１〜図６に従ってヘルメットのサイズの適合する種類を選定しこの選定した種類のヘルメットについてサイズの調整作業が必要性であるか否かを指示する工程のフローチャートである。
【図９】図８の工程が順次表示されたパソコン画面を示す図であって、（Ａ）は、前後長寸法（Ｘ）をパソコンに入力する工程を示し、（Ｂ）は、左右幅寸法（Ｙ）をパソコンに入力する工程を示し、（Ｃ）は、周囲長寸法（Ｌ）をパソコンに入力する工程を示し、（Ｄ）は、ヘルメットのサイズの適合する種類を選定した結果を示し、（Ｅ）は、この選定した種類のサイズのヘルメットについてのサイズ調整作業が必要であるか否かを示している。
【符号の説明】
２１      ヘルメット着用者
２２      頭部
４１      パソコン画面
４２      適合サイズ表
４３      調整データ表
４６      前側用の取付けパッド
４７      後側用の取付けパッド
４８      左側用の取付けパッド
４９      右側用の取付けパッド
５５      ＸＳ領域
５６      Ｓ領域
５７      Ｍ領域
５８      Ｌ領域
５９      ＸＬ領域
６０      ＸＸＬ領域
Ｘ        前後長寸法
Ｙ        左右幅寸法
Ｌ        周囲長寸法
【図１】
2004301523.tif 000003
【図２】
2004301523.tif 000004
【図３】
2004301523.tif 000005
【図４】
2004301523.tif 000006
【図５】
2004301523.tif 000007
【図６】
2004301523.tif 000008
【図７】
2004301523.tif 000009
【図８】
2004301523.tif 000010
【図９】
2004301523.tif 000011